(57)【要約】【課題】吸入口から吸入される空気中に含まれる塵埃を捕集するフィルタを吸入口に対向する正位置から待避位置へ移動させる際に、フィルタに捕集された塵埃をフィルタから除去する機能を有する空気調和装置の室内ユニットにおいて、天面側のスペースを小さくする。【解決手段】室内ユニット２は、ローラ５２ａ、５２ｂとガイド部材１７とを備えている。ローラ５２ａ、５２ｂは、フィルタ３５ａ、３５ｂを正位置Ｐから待避位置Ｑへ移動させる。ガイド部材１７は、正位置Ｐにあるフィルタ３５ａ、３５ｂを、ローラ５２ａ、５２ｂの外周に沿って湾曲させた後にローラ５２ａ、５２ｂの外周から離れる方向に湾曲させて待避位置Ｑに移動するように案内する。【選択図】図４
2010255955.tif 000002
【特許請求の範囲】
【請求項１】
吸入口（６）から吸入される空気中に含まれる塵埃を捕集するフィルタ（３５ａ、３５ｂ）を前記吸入口に対向する正位置（Ｐ）から待避位置（Ｑ）へ移動させる際に、前記フィルタに捕集された塵埃を前記フィルタから除去する機能を有する空気調和装置の室内ユニットであって、
前記フィルタを前記正位置から前記待避位置へ移動させるローラ（５２ａ、５２ｂ）と、
前記正位置にある前記フィルタを、前記ローラの外周に沿って湾曲させた後に前記ローラの外周から離れる方向に湾曲させて前記待避位置に移動するように案内するガイド部材（１７）と、
を備えた空気調和装置の室内ユニット（２）。
【請求項２】
前記ガイド部材（１７）は、前記フィルタ（３５ａ、３５ｂ）を略Ｓ字状の軌道を成すように案内する、請求項１に記載の空気調和装置の室内ユニット（２）。
【請求項３】
前記待避位置（Ｑ）の大部分は、前記ローラ（５２ａ、５２ｂ）の下方に配置されている、請求項１又は２に記載の空気調和装置の室内ユニット（２）。
【請求項４】
前記ガイド部材（１７）は、前記待避位置（Ｑ）において、前記フィルタ（３５ａ、３５ｂ）を略円弧状に湾曲した状態で保持されるように案内する、請求項３に記載の空気調和装置の室内ユニット（２）。
【請求項５】
前記ガイド部材（１７）は、前記フィルタ（３５ａ、３５ｂ）を前記ローラ（５２ａ、５２ｂ）の外周から離れる方向に湾曲させる際に、曲率半径５ｍｍ以上で前記フィルタを湾曲させるように案内する、請求項１〜４のいずれかに記載の空気調和装置の室内ユニット（２）。
【請求項６】
前記フィルタ（３５ａ、３５ｂ）に捕集された塵埃を除去するブラシ（４７）と、
前記ブラシによって前記フィルタから除去される塵埃を溜めるダストボックス（４９）と、
をさらに備えている、請求項１〜５のいずれかに記載の空気調和装置の室内ユニット（２）。
【請求項７】
前記ブラシ（４７）は、前記ローラ（５２ａ、５２ｂ）の下方に配置されている、請求項６に記載の空気調和装置の室内ユニット（２）。
【請求項８】
前記待避位置（Ｑ）の大部分は、前記ブラシ（４７）及び前記ダストボックス（４９）の下方に配置されている、請求項７に記載の空気調和装置の室内ユニット（２）。
【請求項９】
前記ガイド部材（１７）は、前記フィルタ（３５ａ、３５ｂ）を前記ローラ（５２ａ、５２ｂ）の外周から離れる方向に湾曲させる際に、前記ブラシ（４７）に沿うように前記フィルタを案内する、請求項６〜８のいずれかに記載の空気調和装置の室内ユニット（２）。
【発明の詳細な説明】
【技術分野】
【０００１】
本発明は、空気調和装置の室内ユニット、特に、吸入口から吸入される空気中に含まれる塵埃を捕集するフィルタを吸入口に対向する正位置から待避位置へ移動させる際に、フィルタに捕集された塵埃をフィルタから除去する機能を有する空気調和装置の室内ユニットに関する。
【背景技術】
【０００２】
従来より、特許文献１（特開２００８−１４５０７８号公報）に示されるような、吸入口から吸入される空気中に含まれる塵埃を捕集するフィルタを吸入口に対向する正位置から待避位置へ移動させる際に、フィルタに捕集された塵埃をフィルタから除去する機能を有する空気調和装置の室内ユニットがある。このような室内ユニットでは、正位置にあるフィルタを、ローラの外周に沿ってＵターンするように湾曲させることで略Ｕ字状の軌道を成しながら、正位置の空気の流れ方向の下流側に配置された待避位置へ移動させるようにしている。すなわち、フィルタの待避位置は、フィルタの正位置とともに、室内ユニットの天面側スペースに配置されている。
【発明の概要】
【発明が解決しようとする課題】
【０００３】
上記従来の室内ユニットでは、室内ユニットの天面側のスペースを小さくしたいという要望がある。
【０００４】
しかし、上記従来の室内ユニットでは、フィルタの待避位置が室内ユニットの天面側スペースに配置されていることから、室内ユニットの天面側のスペースを小さくすることが困難である。
【０００５】
本発明の課題は、吸入口から吸入される空気中に含まれる塵埃を捕集するフィルタを吸入口に対向する正位置から待避位置へ移動させる際に、フィルタに捕集された塵埃をフィルタから除去する機能を有する空気調和装置の室内ユニットにおいて、天面側のスペースを小さくすることにある。
【課題を解決するための手段】
【０００６】
第１の発明にかかる空気調和装置の室内ユニットは、吸入口から吸入される空気中に含まれる塵埃を捕集するフィルタを吸入口に対向する正位置から待避位置へ移動させる際に、フィルタに捕集された塵埃をフィルタから除去する機能を有する空気調和装置の室内ユニットであって、ローラとガイド部材とを備えている。ローラは、フィルタを正位置から待避位置へ移動させる。ガイド部材は、正位置にあるフィルタを、ローラの外周に沿って湾曲させた後にローラの外周から離れる方向に湾曲させて待避位置に移動するように案内する。
【０００７】
この空気調和装置の室内ユニットでは、ローラ及びガイド部材によって、ローラの外周に沿って湾曲させた後にローラの外周から離れる方向に湾曲させる軌道を成しながら正位置から待避位置へフィルタを移動させることができるため、従来のようなＵ字状の軌道を成しながら正位置から待避位置へフィルタを移動させる場合とは異なり、天面側のスペースに待避位置が配置されないようにできる。これにより、この空気調和装置の室内ユニットでは、天面側のスペースを小さくすることができる。
【０００８】
第２の発明にかかる空気調和装置の室内ユニットは、第１の発明にかかる空気調和装置の室内ユニットにおいて、ガイド部材は、フィルタを略Ｓ字状の軌道を成すように案内する。
【０００９】
第３の発明にかかる空気調和装置の室内ユニットは、第１又は第２の発明にかかる空気調和装置の室内ユニットにおいて、待避位置の大部分は、ローラの下方に配置されている。
【００１０】
この空気調和装置の室内ユニットでは、ローラの下方のスペースを有効に利用することができる。
【００１１】
第４の発明にかかる空気調和装置の室内ユニットは、第３の発明にかかる空気調和装置の室内ユニットにおいて、ガイド部材は、待避位置において、フィルタを略円弧状に湾曲した状態で保持されるように案内する。
【００１２】
この空気調和装置の室内ユニットでは、塵埃をフィルタから除去する際に、室内ユニットの外側にフィルタをはみ出させることなく、また、室内ユニットの他の部分との干渉を生じさせることなく、ローラの下方にコンパクトにフィルタを待避させることができる。
【００１３】
第５の発明にかかる空気調和装置の室内ユニットは、第１〜第４の発明のいずれかにかかる空気調和装置の室内ユニットにおいて、ガイド部材は、フィルタをローラの外周から離れる方向に湾曲させる際に、曲率半径５ｍｍ以上でフィルタを湾曲させるように案内する。
【００１４】
この空気調和装置の室内ユニットでは、ローラの外周に沿って湾曲させた後にローラの外周から離れる方向に湾曲させる軌道でフィルタを移動させる際に、フィルタをスムーズに案内することができる。
【００１５】
第６の発明にかかる空気調和装置の室内ユニットは、第１〜第５の発明のいずれかにかかる空気調和装置の室内ユニットにおいて、フィルタに捕集された塵埃を除去するブラシと、ブラシによってフィルタから除去される塵埃を溜めるダストボックスとをさらに備えている。
【００１６】
この空気調和装置の室内ユニットでは、フィルタに捕集された塵埃をブラシによって除去し、ダストボックスに溜めることができる。
【００１７】
第７の発明にかかる空気調和装置の室内ユニットは、第６の発明にかかる空気調和装置の室内ユニットにおいて、ブラシは、ローラの下方に配置されている。
【００１８】
この空気調和装置の室内ユニットでは、フィルタが捕集した塵埃を重力方向に向けてブラシで掻き落とすことができ、フィルタに捕集された塵埃をフィルタから確実に除去することができる。
【００１９】
第８の発明にかかる空気調和装置の室内ユニットは、第７の発明にかかる空気調和装置の室内ユニットにおいて、待避位置の大部分は、ブラシ及びダストボックスの下方に配置されている。
【００２０】
この空気調和装置の室内ユニットでは、ローラ、ブラシ及びダストボックスの下方のスペースを有効に利用することができる。
【００２１】
第９の発明にかかる空気調和装置の室内ユニットは、第６〜第８の発明にかかる空気調和装置の室内ユニットにおいて、ガイド部材は、フィルタをローラの外周から離れる方向に湾曲させる際に、ブラシに沿うようにフィルタを案内する。
【００２２】
この空気調和装置の室内ユニットでは、フィルタとブラシとの接触面積が増加し、フィルタに捕集された塵埃をフィルタから確実に除去することができる。
【発明の効果】
【００２３】
以上の説明に述べたように、本発明によれば、以下の効果が得られる。
【００２４】
第１及び第２の発明では、天面側のスペースを小さくすることができる。
【００２５】
第３の発明では、ローラの下方のスペースを有効に利用することができる。
【００２６】
第４の発明では、塵埃をフィルタから除去する際に、室内ユニットの外側にフィルタをはみ出させることなく、また、室内ユニットの他の部分との干渉を生じさせることなく、ローラの下方にコンパクトにフィルタを待避させることができる。
【００２７】
第５の発明では、ローラの外周に沿って湾曲させた後にローラの外周から離れる方向に湾曲させる軌道でフィルタを移動させる際に、フィルタをスムーズに案内することができる。
【００２８】
第６の発明では、フィルタに捕集された塵埃をブラシによって除去し、ダストボックスに溜めることができる。
【００２９】
第７の発明では、フィルタが捕集した塵埃を重力方向に向けてブラシで掻き落とすことができ、フィルタに捕集された塵埃をフィルタから確実に除去することができる。
【００３０】
第８の発明では、ローラ、ブラシ及びダストボックスの下方のスペースを有効に利用することができる。
【００３１】
第９の発明では、フィルタとブラシとの接触面積が増加し、フィルタに捕集された塵埃をフィルタから確実に除去することができる。
【図面の簡単な説明】
【００３２】
【図１】本発明の一実施形態にかかる室内ユニットが採用された空気調和装置の概略構成図である。
【図２】室内ユニットの正面図である。
【図３】前面パネルを取り外した状態の室内ユニットの正面図である。
【図４】図２のＡ−Ａ断面図である。
【図５】図２のＢ−Ｂ断面図である。
【図６】他の実施形態にかかる室内ユニットを示す図であり、図４に相当する図である。
【発明を実施するための形態】
【００３３】
以下、本発明にかかる空気調和装置の室内ユニットの実施形態について、図面に基づいて説明する。
【００３４】
＜空気調和装置の全体構成＞
図１は、本発明の一実施形態にかかる室内ユニット２が採用された空気調和装置１の概略構成図である。空気調和装置１は、室内の壁に取り付けられる壁掛型の室内ユニット２と、室外に設置される室外ユニット３とを有している。室内ユニット２と室外ユニット３とは、冷媒管や伝送線等が集合した集合連絡管４によって接続されている。熱交換の面から空気調和装置１を見ると、例えば、室内ユニット２の室内熱交換器３６（図４、５参照）、及び、室外ユニット３の圧縮機、室外熱交換器及び膨張弁等（図示せず）が冷媒管によって接続されることによって冷媒回路を構成している。一方、制御の面から空気調和装置１を見ると、リモートコントローラ等の制御端末から指令を受けて室内ユニット２の室内ファン４０等の室内側機器（図４参照）を制御するための電装品箱４５（図３、４参照）が室内ユニット２に設けられ、室外ユニット３の室外ファン等の室外側機器（図示せず）を制御するための電装品箱（図示せず）が室外ユニット３に設けられている。そして、室内ユニット２の電装品箱４５（図３、４参照）と室外ユニット３の電装品箱とが伝送線によって接続されている。
【００３５】
＜室内ユニットの構成＞
（１）室内ユニットの正面構造
図２は、室内ユニット２の正面図である。室内ユニット２は、本体ケーシング５の上部に吸入口６が形成されており、本体ケーシング５の下部に吹出口７が形成されており、本体ケーシング５の正面が前面パネル８で覆われている。このため、室内ユニット２の正面５ｂから室内空気の吸入は行われず、室内ユニット２は、室内ユニット２の天面５ａから室内空気の吸入を行っている。そして、室内ユニット２内における室内空気の流れは、室内ユニット２の天面５ａ側から室内ユニット２の底面５ｃ側に向けて行われるようになっている。吹出口７には、運転停止時に閉じ、かつ、運転時に開く第１風向調節羽根９が設けられている。そして、この第１風向調節羽根９によって室内ユニット２の上下方向の風向が調節されるようになっている。図２は、運転停止状態を示しており、吹出口７の開口部が第１風向調節羽根９で閉じられた状態を示している。尚、前面パネル８は、パネル上部８ａ近傍の支点を中心に回動自在に本体ケーシング５に取り付けられている。前面パネル８の直下部分には、吹出口７の上辺に沿って、表示用ＬＥＤ１０や受信部１１等が設けられている。また、前面パネル８の幅方向の略中央の下部には、略長方形状のパネル窓部８ｂが形成されており、このパネル窓部８ｂを通じて室内ユニット２の正面側から前面グリル１２（図３、４参照）の前部に設けられた表示パネル１３が見えるようになっている。このように、室内ユニット２の幅方向の略中央の下部に集中して、表示機能や制御に必要なセンシング機能が配置されている。尚、表示用ＬＥＤ１０、受信部１１や表示パネル１３等の電気部品は後述する電装品箱４５（図３、４参照）に接続されている。
【００３６】
（２）本体ケーシングの構造
図３は、前面パネル８を取り外した状態の室内ユニット２の正面図である。図３に示されるように、室内ユニット２の天面５ａ、正面５ｂ、底面５ｃ及び側面５ｅが、本体ケーシング５の一部をなす樹脂製の前面グリル１２で覆われている。表示パネル１３の上方、すなわち、電装品箱４５の直上に、室内ユニット２の幅方向に細長く延びるフィルタ清掃機構１４が配置されている。フィルタ清掃機構１４は、主として、フィルタ３５ａ、３５ｂ（図４、５参照）に捕集された塵埃を除去するブラシ４７と、ブラシ４７によってフィルタ３５ａ、３５ｂ（図４、５参照）から除去される塵埃を溜めるダストボックス４９とを有している。このフィルタ清掃機構１４は、前面グリル１２の幅方向及び上下方向の略中央に形成された第１グリル開口部２７に嵌め込まれている。また、フィルタ清掃機構１４の近傍には、フィルタ３５ａ、３５ｂ（図４、５参照）を保持するとともに清掃のためにフィルタ３５ａ、３５ｂを移動させるフィルタ移動機構１５が配置されている。フィルタ移動機構１５は、フィルタ３５ａ、３５ｂ（図４、５参照）の清掃を行う際にフィルタ３５ａ、３５ｂ（図４参照）を吸入口６に対向する正位置Ｐ（図４、５参照）から待避位置Ｑ（図４、５参照）へ移動させるローラ５２ａ、５２ｂと、正位置Ｐ（図４、５参照）にあるフィルタ３５ａ、３５ｂ（図４、５参照）を待避位置Ｑ（図４、５参照）へ案内するガイド部材１７（図４、５参照）とを有している。尚、ガイド部材１７を構成する待避位置ガイド部２０は、フィルタ清掃機構１４の下方、かつ、電装品箱４５の上方に配置されており、待避位置ガイド部２０の一部は、第１グリル開口部２７の下部から露出している。また、前面グリル１２の第１グリル開口部２７の下には、表示パネル１３が嵌め込まれる第１グリル窓が形成され、第１グリル窓２８の下には表示用ＬＥＤ１０などの制御用電気部品のための複数の第２グリル窓２９が幅方向に並んで形成されている。グリル窓２８、２９の下方には、吹出口７を構成する第２グリル開口部３０が形成されている。
【００３７】
（３）室内ユニットの縦断面構造
図４は、図２のＡ−Ａ断面図であり、図５は、図２のＢ−Ｂ断面図である。図４、５に示されるように、室内ユニット２の天面５ａに形成された吸入口６の室内空気の流れ方向の下流側には、吸入口６に対向する正位置Ｐ（図４、５における一点鎖線で示されたフィルタ３５ａ、３５ｂ参照）に２つのフィルタ３５ａ、３５ｂが配置されている。ここで、図４に示されるフィルタ３５ａが室内ユニット２を正面から見た際の幅方向の右半分を分担し、図５に示されるフィルタ３５ｂが室内ユニット２を正面から見た際の幅方向の左半分を分担している。また、フィルタ３５ａ、３５ｂの室内空気の流れ方向の下流側には、室内熱交換器３６が配置されている。吸入口６から吸入される室内空気は、すべてフィルタ３５ａ、３５ｂを通過して塵埃が除去された後に、室内熱交換器３６に送られる。
【００３８】
室内熱交換器３６は、正面側熱交換器３６ａと背面側熱交換器３６ｂとが側面視において逆Ｖ字状になるように連結されることによって構成されている。室内ユニット２の平面視において、正面側熱交換器３６ａが吸入口６の略正面側半分に対向する位置に配置され、背面側熱交換器３６ｂが略背面側半分に対向する位置に配置されている。正面側熱交換器３６ａも背面側熱交換器３６ｂも、伝熱管（図示せず）多数のプレートフィン（図示せず）を室内ユニット２の幅方向に平行に並べて取り付けることにより構成されている。そして、室内空気は、吸入口６から吸入され、フィルタ３５ａ、３５ｂを通過した後に、室内熱交換器３６のプレートフィン（図示せず）の間を通り抜ける際に伝熱管（図示せず）内を流れる冷媒との間で熱交換が行われる。
【００３９】
室内熱交換器３６の空気の流れ方向の下流側には、略円筒状のクロスフローファンからなる室内ファン４０が室内ユニット２の幅方向に沿って長く延び、室内熱交換器３６とともに室内ユニット２の幅方向と平行に設けられている。室内ファン４０は、逆Ｖ字状の室内熱交換器３６に挟まれるように囲まれている。室内ファン４０は、室内ユニット２の平面視において、正面側熱交換器３６ａ及び背面側熱交換器３６ｂと重なる位置に配置されている。そして、この室内ファン４０は、図４及び図５において時計回りに回転して空気の流れを発生させる。
【００４０】
室内ファン４０の下流の吹出流路７ａは、その正面側が正面側スクロール部材４１によって、その背面側が背面側スクロール部材４２によって構成されている。スクロール部材４１、４２は、室内ユニット２の正面視において、本体ケーシング５の吹出口７の第２グリル開口部３０と略同じ幅を有している。正面側スクロール部材４１の上端は、室内ファン４０の上端よりも下方に位置し、室内ユニット２の側面視において、室内ファン４０の回転中心よりも正面側にずれた位置に配置されている。正面側スクロール部材４１の上端から少し下方の位置には、舌部４１ａが形成されている。背面側スクロール部材４２の上端は、室内ファン４０の上端よりも上方に位置し、室内ユニット２の側面視において、室内ファン４０の回転中心よりも背面側にずれた位置に配置されている。スクロール部材４１、４２の下端は、吹出口７の第２グリル開口部３０に連通されている。そして、室内ファン４０によって室内ユニット２内に吸入された室内空気は、吹出流路７ａを通じて吹出口７から吹き出されるのであるが、風向調節羽根９、４３によってその吹出方向が調節される。より具体的には、吹出流路７ａ内（すなわち、室内ファン４０に近い側）に配置された風向調節羽根４３によって室内ユニット２の正面から見た左右の吹出方向が調節され、吹出口７（すなわち、室内ファン４０に遠い側）に配置された風向調節羽根９によって上下の吹出方向が調節される。また、室内熱交換器３６の正面側熱交換器３６ａの下方で、かつ、正面側スクロール部材４１の舌部４１ａよりも正面側の位置には、前面側熱交換器３６ａにおいて結露した水滴を受ける正面側ドレンパン４４ａが配置されており、室内熱交換器３６の背面側熱交換器３６ｂの下方で、かつ、背面側スクロール部材４２の上端よりも背面側の位置には、背面側熱交換器３６ｂにおいて結露した水滴を受ける背面側ドレンパン４４ｂが配置されている。
【００４１】
図４に示されるように、室内ユニット２の正面視略中央の位置には、電装品箱４５が配置されている。より具体的には、電装品箱４５は、吹出口７の上方で、かつ、第１グリル開口部２７の下方に配置されるとともに、正面側スクロール部材４１及び正面側ドレンパン４４ａよりも正面側に配置されている。電装品箱４５の背面側は、各種電機部品（図示せず）が実装されたプリント基板４５ａが固定されている。そして、表示パネル１３は、電装品箱４５の上部の正面側に配置され、表示用ＬＥＤ１０や受信部１１は、電装品箱４５の下部の正面側に配置されている。
【００４２】
図４、５に示されるように、電装品箱４５の上方の第１グリル開口部２７には、フィルタ清掃機構１４が取り付けられている。フィルタ清掃機構１４は、上記のように、主として、フィルタ３５ａ、３５ｂに捕集された塵埃を除去するブラシ４７と、ブラシ４７によってフィルタ３５ａ、３５ｂから除去される塵埃を溜めるダストボックス４９とを有している。ブラシ４７は、室内ユニット２の幅方向に延びる軸部材４７ａに樹脂製の直毛４７ｂが放射状に植毛された部材であり、ブラシ駆動用モータ（図示せず）によって反時計回りに回転するようになっている。ダストボックス４９は、ブラシ４７によって掻き落とされる塵埃を受けるように配置された室内ユニット２の側面視略Ｕ字状の部材である。
【００４３】
図４、５に示されるように、フィルタ移動機構１５は、室内ユニット２の側面視において、フィルタ清掃機構１４と重ならないように、フィルタ清掃機構１４の上方から下方に渡って配置されている。フィルタ清掃機構１４は、上記のように、主として、フィルタ３５ａ、３５ｂの清掃を行う際にフィルタ３５ａ、３５ｂを吸入口６に対向する正位置Ｐから待避位置Ｑへ移動させる２つのローラ５２ａ、５２ｂと、正位置Ｐにあるフィルタ３５ａ、３５ｂを待避位置Ｑへ案内するガイド部材１７とを有している。
【００４４】
ローラ５２ａ、５２ｂは、フィルタ清掃機構１４の概ね上方において、フィルタ３５ａ、３５ｂを挟んでブラシ４７に対向する位置に取り付けられている。ローラ５２ａ、５２ｂは、室内ユニット２の側面視において、室内ユニット２の上部で、かつ、本体ケーシング５の前面グリル１２寄りの位置に配置されている。そして、図４に示されているローラがフィルタ３５ａを移動させるローラ５２ａであり、図５に示されているローラがフィルタ３５ｂを移動させるローラ５２ｂである。ローラ５２ａ、５２ｂは、その左右方向の両端部にピニオンギア５２ｃが形成されており、このピニオンギア５２ｃがフィルタ３５ａ、３５ｂの左右方向の両端部に形成されているラックギア（図示せず）に噛み合うようになっている。そして、ローラ５２ａ、５２ｂは、ローラ駆動用モータ（図示せず）によって回転するようになっており、このローラ５２ａ、５２ｂの回転によってフィルタ３５ａ、３５ｂの移動が行われるようになっている。
【００４５】
ガイド部材１７は、主として、正位置ガイド部１８と、中間ガイド部１９と、待避位置ガイド部２０とを有している。正位置ガイド部１８は、フィルタ３５ａ、３５ｂを吸入口６に対向する正位置Ｐに保持されるように案内する部分であり、主として、フィルタ３５ａ、３５ｂが上方の吸入口６側に突出しないようにフィルタ３５ａ、３５ｂの左右方向の両端部を案内するレール状の上側ガイド部１８ａと、フィルタ３５ａ、３５ｂが下方の室内熱交換器３６側に突出しないようにフィルタ３５ａ、３５ｂの左右方向の両端部を案内するレール状の下側ガイド部１８ｂとを有している。
【００４６】
上側ガイド部１８ａは、室内ユニット２の側面視において、吸入口６の最背面側の位置から、吸入口６と室内熱交換器３６との上下方向間を室内ユニット２の天面５ａに沿って正面側に向かって延びており、上側ガイド部１８ａの前面グリル１２側の部分は、ローラ５２ａ、５２ｂの外周に沿って下方に向かって湾曲している。下側ガイド部１８ｂは、室内ユニット２の側面視において、吸入口６の最背面側の位置から、上側ガイド部１８ａと室内熱交換器３６との上下方向間を上側ガイド部１８ａに沿って正面側に向かって延びており、下側ガイド部１８ｂの前面グリル１２側の部分は、ローラ５２ａ、５２ｂの背面側の近傍まで達している。この正位置ガイド部１８によって、フィルタ３５ａ、３５ｂは、吸入口６に対向する正位置Ｐに案内されるようになっており、フィルタ３５ａ、３５ｂは、ガイド部材１７によって正位置Ｐに保持された状態において、その中間ガイド部１９側の先端部がローラ５２ａ、５２ｂの外周の一部にかかるまで延びており、そのラックギア（図示せず）がローラ５２ａ、５２ｂのピニオンギア５２ｃに噛み合うようになっている。
【００４７】
中間ガイド部１９は、フィルタ３５ａ、３５ｂをローラ５２ａ、５２ｂの外周に沿って湾曲させた後にローラ５２ａ、５２ｂの外周から離れる方向に湾曲させることで略Ｓ字状の軌道を成すように案内するする部分であり、主として、フィルタ３５ａ、３５ｂが下方のフィルタ清掃機構１４側に突出しないようにフィルタ３５ａ、３５ｂの左右方向の両端部を案内するレール状の正面側ガイド部１９ａと、フィルタ３５ａ、３５ｂが背面側の室内熱交換器３６側に突出しないようにフィルタ３５ａ、３５ｂの左右方向の両端部を案内するレール状の背面側ガイド部１９ｂとを有している。正面側ガイド部１９ａは、正位置ガイド部１８の上側ガイド部１８ａの正面側の先端部に連設されており、室内ユニット２の側面視において、ブラシ４７の軸部材４７ａの上方を通過し、かつ、ローラ５２ａ、５２ｂの外周に沿って背面方向に向かって湾曲している。背面側ガイド部１９ｂは、室内ユニット２の側面視において、正位置ガイド部１８の下側ガイド部１８ｂの下方で、かつ、ローラ５２ａ、５２ｂの背面側の近傍の位置から、ローラ５２ａ、５２ｂの外周から離れるように下方に向かって湾曲している。ここで、背面側ガイド部１９ｂのローラ５２ａ、５２ｂの外周から離れる方向への湾曲の曲率半径Ｒは、少なくとも５ｍｍ以上にすることが好ましく、ここでは、１０ｍｍに設定されている。また、背面側ガイド部１９ｂは、ブラシ４７の近傍位置からのローラ５２ａ、５２ｂの外周から離れる方向へ湾曲しており、これにより、背面側ガイド部１９ｂは、フィルタ３５ａ、３５ｂをローラ５２ａ、５２ｂの外周から離れる方向に湾曲させる際に、ブラシ４７に沿うようにフィルタ３５ａ、３５ｂを案内している。
【００４８】
待避位置ガイド部２０は、フィルタ３５ａ、３５ｂの清掃を行う際にフィルタ３５ａ、３５ｂを正位置Ｐから移動させる位置である待避位置Ｑに保持されるように案内する部分であり、中間ガイド部１９の下端部に連設されている。待避位置ガイド部２０は、中間ガイド部１９の下端部からフィルタ清掃機構１４の背面側を下方に向かって通過した後に、フィルタ清掃機構１４の下方、かつ、電装品箱４５の上方の第１グリル開口部２７内の空間において、正面側に向かって略円弧状に湾曲しており、フィルタ３５ａ、３５ｂを略円弧状に湾曲した状態で保持されるように案内する。尚、待避位置ガイド部２０のうち、略円弧状に湾曲した部分は、第１グリル開口部２７の下部から露出している。また、待避位置ガイド部２０における略円弧状の湾曲の曲率半径も、背面側ガイド部１９ｂのローラ５２ａ、５２ｂの外周から離れる方向への湾曲の曲率半径Ｒと同様、少なくとも５ｍｍ以上にすることが好ましい。これらの中間ガイド部１９及び待避位置ガイド部２０によって、フィルタ３５ａ、３５ｂは、フィルタ３５ａ、３５ｂの清掃を行う際にフィルタ３５ａ、３５ｂを正位置Ｐから移動させる位置である待避位置Ｑに案内されるようになっており、フィルタ３５ａ、３５ｂは、ガイド部材１７によって待避位置Ｑに保持された状態において、その中間ガイド部１９側の先端部がローラ５２ａ、５２ｂの外周の一部にかかるまで延びており、そのラックギア（図示せず）がローラ５２ａ、５２ｂのピニオンギア５２ｃに噛み合うようになっている。
【００４９】
＜フィルタ清掃時の動作＞
上記のような構成を有する室内ユニット２では、フィルタ移動機構１５及びフィルタ清掃機構１４を用いて、フィルタ３５ａ、３５ｂの清掃を行うことができる。
【００５０】
まず、フィルタ３５ａ、３５ｂの清掃を行う際には、ローラ５２ａ、５２ｂを反時計回りに回転させることによって、正位置Ｐにあるフィルタ３５ａ、３５ｂを、ローラ５２ａ、５２ｂの外周に沿って湾曲させた後にローラ５２ａ、５２ｂの外周から離れる方向に湾曲させることで略Ｓ字状の軌道を成しながら待避位置Ｑに移動するようにガイド部材１７によって案内する。
【００５１】
そして、このようなフィルタ３５ａ、３５ｂの正位置Ｐから待避位置Ｑへ移動の際に、ブラシ４７を反時計回りに回転させて、フィルタ３５ａ、３５ｂに捕集された塵埃を掻き落として、ダストボックス４９に除去された塵埃を溜める。
【００５２】
その後、ローラ５２ａ、５２ｂを時計回りに回転させることによって、待避位置Ｑにあるフィルタ３５ａ、３５ｂを、再び正位置Ｐに移動するようにガイド部材１７によって案内する。
【００５３】
このようにして、室内ユニット２のフィルタ３５ａ、３５ｂの清掃が行われる。
【００５４】
＜室内ユニットの特徴＞
本実施形態の室内ユニット２には、以下のような特徴がある。
【００５５】
（１）
上記実施形態にかかる室内ユニット２では、ローラ５２ａ、５２ｂ及びガイド部材１７によって、ローラ５２ａ、５２ｂの外周に沿って湾曲させた後にローラ５２ａ、５２ｂの外周から離れる方向に湾曲させることで略Ｓ字状の軌道を成しながら正位置Ｐから待避位置Ｑへフィルタ３５ａ、３５ｂを移動させることができるため、従来のようなＵ字状の軌道を成しながら正位置から待避位置へフィルタを移動させる場合とは異なり、天面側のスペースに待避位置Ｑが配置されないようにできる。これにより、上記実施形態にかかる室内ユニット２では、天面側のスペースを小さくすることができる。
【００５６】
（２）
上記実施形態にかかる室内ユニット２では、フィルタ清掃機構１５が、フィルタ３５ａ、３５ｂに捕集された塵埃を除去するブラシ４７と、ブラシ４７によってフィルタ３５ａ、３５ｂから除去される塵埃を溜めるダストボックス４９とから構成されているため、フィルタ３５ａ、３５ｂに捕集された塵埃をブラシ４７によって除去し、ダストボックス４９に溜めることができる。
【００５７】
（３）
上記実施形態にかかる室内ユニット２では、ブラシ４７が、ローラ５２ａ、５２ｂの下方に配置されているため、フィルタ３５ａ、３５ｂが捕集した塵埃を重力方向に向けてブラシ４７で掻き落とすことができ、フィルタ３５ａ、３５ｂに捕集された塵埃をフィルタ３５ａ、３５ｂから確実に除去することができる。
【００５８】
（４）
上記実施形態にかかる室内ユニット２では、ガイド部材１７（より具体的には、中間ガイド部１９の背面側ガイド部１９ｂ）が、フィルタ３５ａ、３５ｂをローラ５２ａ、５２ｂの外周から離れる方向に湾曲させる際に、ブラシ４７に沿うようにフィルタ３５ａ、３５ｂを案内するため、フィルタ３５ａ、３５ｂとブラシ４７との接触面積が増加し、フィルタ３５ａ、３５ｂに捕集された塵埃をフィルタ３５ａ、３５ｂから確実に除去することができる。
【００５９】
（５）
上記実施形態にかかる室内ユニット２では、待避位置Ｑの大部分が、ローラ５２ａ、５２ｂの下方に配置されているため、ローラ５２ａ、５２ｂの下方のスペースを有効に利用することができる。
【００６０】
特に、ここでは、待避位置Ｑの大部分が、ローラ５２ａ、５２ｂの下方に配置されているのみならず、フィルタ清掃機構１４（すなわち、ブラシ４７及びダストボックス４９）の下方に配置されているため、ローラ５２ａ、５２ｂ、ブラシ４７及びダストボックス４９の下方のスペースを有効に利用することができる。
【００６１】
（６）
上記実施形態にかかる室内ユニット２では、ガイド部材１７（より具体的には、待避位置ガイド部２０）が、待避位置Ｑにおいて、フィルタ３５ａ、３５ｂを略円弧状に湾曲した状態で保持されるように案内するため、塵埃をフィルタ３５ａ、３５ｂから除去する際に、室内ユニット２の外側にフィルタ３５ａ、３５ｂをはみ出させることなく、また、吹出口７や電装品箱４５等のような室内ユニット２の他の部分との干渉を生じさせることなく、ローラ５２ａ、５２ｂの下方にコンパクトにフィルタ３５ａ、３５ｂを待避させることができる。
【００６２】
（７）
上記実施形態にかかる室内ユニット２では、ガイド部材１７（より具体的には、中間ガイド部１９の背面側ガイド部１９ｂ）が、フィルタ３５ａ、３５ｂをローラ５２ａ、５２ｂの外周から離れる方向に湾曲させる際に、５ｍｍ以上の曲率半径でフィルタ３５ａ、３５ｂを湾曲させるように案内するため、ローラ５２ａ、５２ｂの外周に沿って湾曲させた後にローラ５２ａ、５２ｂの外周から離れる方向に湾曲させる軌道でフィルタ３５ａ、３５ｂを移動させる際に、フィルタ３５ａ、３５ｂをスムーズに案内することができる。
【００６３】
＜他の実施形態＞
以上、本発明の実施形態について図面に基づいて説明したが、具体的な構成は、これらの実施形態に限られるものではなく、発明の要旨を逸脱しない範囲で変更可能である。
【００６４】
（１）
上記実施形態では、ガイド部材１７の待避位置ガイド部２０を、フィルタ３５ａ、３５ｂを略円弧状に湾曲した状態で保持されるように案内する形状にすることで、待避位置Ｑの大部分がフィルタ清掃機構１４と電装品箱４５の上下方向間に配置されるようにしているが、これに限定されるものではなく、例えば、図６に示されるように、ガイド部材１７の待避位置ガイド部２０を電装品箱４５と正面側ドレンパン４４ａとの前後方向間を下方に延びるように形成してもよい。この場合には、上記実施形態におけるフィルタ３５ａ、３５ｂを略円弧状に湾曲した状態で保持されるように案内することによって得られる作用効果を除き、上記実施形態と同様の作用効果を得ることができる。
【００６５】
（２）
上記実施形態では、ガイド部材１７の待避位置ガイド部２０が、中間ガイド部１９の下端部から下方に延びながら正面方向に湾曲し、続いて、正面方向に延びながら上方に湾曲し、続いて、上方に延びながら背面方向に湾曲し、さらに、背面方向に延びながら下方に湾曲した円弧長さを有しているが、これに限定されるものではなく、フィルタ３５ａ、３５ｂの長さに応じて、待避位置ガイド部２０の円弧長さを変更してもよい。
【産業上の利用可能性】
【００６６】
本発明は、吸入口から吸入される空気中に含まれる塵埃を捕集するフィルタを吸入口に対向する正位置から待避位置へ移動させる際に、フィルタに捕集された塵埃をフィルタから除去する機能を有する空気調和装置の室内ユニットに広く適用可能である。
【符号の説明】
【００６７】
２  室内ユニット
６  吸入口
１７  ガイド部材
３５ａ、３５ｂ  フィルタ
４７  ブラシ
４９  ダストボックス
５２ａ、５２ｂ  ローラ
Ｐ  正位置
Ｑ  待避位置
【先行技術文献】
【特許文献】
【００６８】
【特許文献１】特開２００８−１４５０７８号公報
【図１】
2010255955.tif 000003
【図２】
2010255955.tif 000004
【図３】
2010255955.tif 000005
【図４】
2010255955.tif 000006
【図５】
2010255955.tif 000007
【図６】
2010255955.tif 000008